【手続補正書】
【提出日】平成19年11月16日(2007.11.16)
【手続補正１】
【補正対象書類名】明細書
【補正対象項目名】特許請求の範囲
【補正方法】変更
【補正の内容】
【特許請求の範囲】
【請求項１】  搬送されたシートを処理した後、上下方向に移動自在なシート積載手段に排出するようにしたシート処理装置において、
前記シート積載手段に処理されたシートを排出するシート排出手段と、
前記シートが排出される前、前記シート積載手段を前記シート排出手段の下方まで上昇させる移動手段と、
前記搬送されたシートの状態に応じて前記シート排出手段のシート排出速度及び前記移動手段による前記シート積載手段の移動量の少なくとも一つを変更するよう制御する制御手段と、
を備えたことを特徴とするシート処理装置。
【請求項２】  前記搬送されたシートの状態は前記シートを反転させて排出するか否かによって異なるものであることを特徴とする請求項１記載のシート処理装置。
【請求項３】  前記搬送されたシートの状態は、シート搬送速度に応じて異なるものであることを特徴とする請求項１記載のシート処理装置。
【請求項４】  前記搬送されたシートの状態は、前記シートを反転させて排出するか否か、或いはシート搬送速度に応じて異なる前記シートのカールの状態であることを特徴とする請求項２又は３記載のシート処理装置。
【請求項５】  前記制御手段は、前記シートが、前記シートの搬送方向両端部が上方に湾曲している上カール状態のとき前記シート排出手段のシート排出速度を増加させるよう制御し、前記シートの搬送方向両端部が下方に湾曲している下カール状態のとき前記シート排出手段のシート排出速度を減少させる一方、前記シート積載手段の上昇量を増加させるよう制御することを特徴とする請求項４記載のシート処理装置。
【請求項６】  前記制御手段は前記シートを反転させて排出するか否かによって前記搬送されたシートのカール状態を判断することを特徴とする請求項５記載のシート処理装置。
【請求項７】  前記制御手段は前記搬送されるシートの搬送速度に基づいてシートのカール状態を判断することを特徴とする請求項５記載のシート処理装置。
【請求項８】  搬送されたシートを処理した後、上下方向に移動自在なシート積載手段に排出するようにしたシート処理装置において、
前記シート積載手段に処理されたシートを排出するシート排出手段と、
前記シートが排出される前、前記シート積載手段を前記シート排出手段の下方まで上昇させる移動手段と、
前記シート積載手段の上方に出没自在に設けられ、前記シート積載手段に略平行に突出してシートの下面を支持する支持位置と前記シート積載手段の上方から退避した退避位置とに移動自在な支持手段と、
前記搬送されたシートの状態に応じて前記シート排出手段のシート排出速度、前記移動手段による前記シート積載手段の移動量及び前記支持手段の出没のタイミングの少なくとも一つを変更するよう制御する制御手段と、
を備えたことを特徴とするシート処理装置。
【請求項９】  前記搬送されたシートの状態は前記シートを反転させて排出するか否かによって異なるものであることを特徴とする請求項８記載のシート処理装置。
【請求項１０】  前記搬送されたシートの状態は、シート搬送速度に応じて異なるものであることを特徴とする請求項８記載のシート処理装置。
【請求項１１】  前記搬送されたシートの状態は、前記シートを反転させて排出するか否か、或いはシート搬送速度に応じて異なる前記シートのカールの状態であることを特徴とする請求項９又は１０記載のシート処理装置。
【請求項１２】  前記制御手段は、前記シートが、前記シートの搬送方向両端部が上方に湾曲している上カール状態のとき前記シート排出手段のシート排出速度を増加させる一方、前記シートを前記シート積載手段に排出する前に前記支持手段を退避位置に移動させるよう制御し、前記シートの搬送方向両端部が下方に湾曲している下カール状態のとき前記シート排出手段のシート排出速度を減少させる一方、前記シート積載手段の上昇量を増加させるよう制御することを特徴とする請求項１１記載のシート処理装置。
【請求項１３】  前記制御手段は前記シートを反転させて排出するか否かによって前記搬送されたシートのカール状態を判断することを特徴とする請求項１２記載のシート処理装置。
【請求項１４】  前記制御手段は前記搬送されるシートの搬送速度に基づいてシートのカール状態を判断することを特徴とする請求項１２記載のシート処理装置。
【請求項１５】  シートに画像を形成する画像形成手段と、前記画像形成手段によって画像形成されたシートを処理するシート処理装置とを備えた画像形成装置において、
前記シート処理装置は前記請求項１乃至１４記載のいずれか１項に記載のものであることを特徴とする画像形成装置。
【手続補正２】
【補正対象書類名】明細書
【補正対象項目名】００１０
【補正方法】変更
【補正の内容】
【００１０】
また本発明は、前記搬送されたシートの状態は前記シートを反転させて排出するか否かによって異なるものであることを特徴とするものである。
【手続補正３】
【補正対象書類名】明細書
【補正対象項目名】００１２
【補正方法】変更
【補正の内容】
【００１２】
また本発明は、前記搬送されたシートの状態は、前記シートを反転させて排出するか否か、或いはシート搬送速度に応じて異なる前記シートのカールの状態であることを特徴とするものである。
【手続補正４】
【補正対象書類名】明細書
【補正対象項目名】００１３
【補正方法】変更
【補正の内容】
【００１３】
また本発明は、前記制御手段は、前記シートが、前記シートの搬送方向両端部が上方に湾曲している上カール状態のとき前記シート排出手段のシート排出速度を増加させるよう制御し、前記シートの搬送方向両端部が下方に湾曲している下カール状態のとき前記シート排出手段のシート排出速度を減少させる一方、前記シート積載手段の上昇量を増加させるよう制御することを特徴とするものである。
【手続補正５】
【補正対象書類名】明細書
【補正対象項目名】００１４
【補正方法】変更
【補正の内容】
【００１４】
また本発明は、前記制御手段は前記シートを反転させて排出するか否かによって前記搬送されたシートのカール状態を判断することを特徴とするものである。
【手続補正６】
【補正対象書類名】明細書
【補正対象項目名】００１６
【補正方法】変更
【補正の内容】
【００１６】
また本発明は、搬送されたシートを処理した後、上下方向に移動自在なシート積載手段に排出するようにしたシート処理装置において、前記シート積載手段に処理されたシートを排出するシート排出手段と、前記シートが排出される前、前記シート積載手段を前記シート排出手段の下方まで上昇させる移動手段と、前記シート積載手段の上方に出没自在に設けられ、前記シート積載手段に略平行に突出してシートの下面を支持する支持位置と前記シート積載手段の上方から退避した退避位置とに移動自在な支持手段と、前記搬送されたシートの状態に応じて前記シート排出手段のシート排出速度、前記移動手段による前記シート積載手段の移動量及び前記支持手段の出没のタイミングの少なくとも一つを変更するよう制御する制御手段と、を備えたことを特徴とするものである。
【手続補正７】
【補正対象書類名】明細書
【補正対象項目名】００１７
【補正方法】変更
【補正の内容】
【００１７】
また本発明は、前記搬送されたシートの状態は前記シートを反転させて排出するか否かによって異なるものであることを特徴とするものである。
【手続補正８】
【補正対象書類名】明細書
【補正対象項目名】００１９
【補正方法】変更
【補正の内容】
【００１９】
また本発明は、前記搬送されたシートの状態は、前記シートを反転させて排出するか否か、或いはシート搬送速度に応じて異なる前記シートのカールの状態であることを特徴とするものである。
【手続補正９】
【補正対象書類名】明細書
【補正対象項目名】００２０
【補正方法】変更
【補正の内容】
【００２０】
また本発明は、前記制御手段は、前記シートが、前記シートの搬送方向両端部が上方に湾曲している上カール状態のとき前記シート排出手段のシート排出速度を増加させる一方、前記シートを前記シート積載手段に排出する前に前記支持手段を退避位置に移動させるよう制御し、前記シートの搬送方向両端部が下方に湾曲している下カール状態のとき前記シート排出手段のシート排出速度を減少させる一方、前記シート積載手段の上昇量を増加させるよう制御することを特徴とするものである。
【手続補正１０】
【補正対象書類名】明細書
【補正対象項目名】００２１
【補正方法】変更
【補正の内容】
【００２１】
また本発明は、前記制御手段は前記シートを反転させて排出するか否かによって前記搬送されたシートのカール状態を判断することを特徴とするものである。
【手続補正１１】
【補正対象書類名】明細書
【補正対象項目名】０１１１
【補正方法】変更
【補正の内容】
【０１１１】
ここで、束排出速度を増加させることにより、既述したように上カールによる積載不良はなくなる。また、図２３に示すように上カールしている排出束Ｐ１は下カール束に比べて既積載シート束上面に着地しにくくなるが、同図に示すようにシート束Ｐ１をスタックトレイ２００の方向に排出した状態で出没トレイ１７０を退避位置へ移動させると、空中に浮いている排出シート束Ｐ１が急に降下するようになる。
【手続補正１２】
【補正対象書類名】明細書
【補正対象項目名】０１１２
【補正方法】変更
【補正の内容】
【０１１２】
そして、このようにシート束Ｐ１が急に降下すると、シート束Ｐ１が座屈し、排出シート束後端の排出不良を誘発しやすくなる。しかし、本実施の形態のように出没トレイ１７０を束排出前に退避位置へ移動させることにより、シート束Ｐ１の座屈の発生を防ぐことができ、排出不良の発生を防ぐことができる。
【手続補正１３】
【補正対象書類名】明細書
【補正対象項目名】０１１５
【補正方法】変更
【補正の内容】
【０１１５】
ここで、束排出速度を減少させることにより、既述したように下カールによる戻り不良や積載不良はなくなる。また、出没トレイ１７０を束排出前に引き込まないようにすることにより、排出されたシートＰの先端が排紙後すぐに垂れてしまい、排出時にシート束先端が既積載シート束の表面との摩擦で既述した図２７に示すように丸まることを防止することができる。